(57)【要約】【課題】  装飾カーテンレールにタブトップ又はタブクリップを介してカーテンを吊り下げるタブタイプカーテン装置であって、横幅が小さく上下に長い窓に設置しても、窓が持つ採光、通風、眺望等の機能性を低下させないものをを提供する。【解決手段】  複数のタブトップ又はタブクリップに昇降コード用ガイドを装着し、その昇降コード用ガイドを介して複数の昇降コードを摺動自在に支持し、各昇降コードの一端部を昇降コード用ガイドから垂下してカーテンの下縁部に係止し、左端又は右端のタブトップ又はタブクリップの背面若しくは房掛けに昇降コード用ストッパーを装着し、昇降コードの他端部を昇降コード用ストッパーに通して操作可能にまとめて垂下し、昇降コードを操作してタブタイプカーテン装置を上下に開閉する。【選択図】        図１
2005137637.tif 000002
【特許請求の範囲】
【請求項１】
カーテンレールと、前記カーテンレールに吊り下げるタブトップ又は前記カーテンレールに取り付けるカーテンランナーに吊り下げるタブクリップと、前記タブトップ又は前記タブクリップに上縁部が挟持されるカーテンとからなるタブタイプカーテン装置において、複数の前記タブトップ又は前記タブクリップに昇降コード用ガイドを装着し、前記昇降コード用ガイドを介して複数の昇降コードを摺動自在に支持し、各昇降コードの一端部を前記昇降コード用ガイドから垂下して前記カーテンの下縁部に係止し、左端又は右端の前記タブトップ又は前記タブクリップ若しくは房掛けに昇降コード用ストッパーを装着し、各昇降コードの他端部を前記昇降コード用ストッパーに通して操作可能に垂下することを特徴としてなるタブタイプカーテン装置。
【請求項２】
タブトップ又はタブクリップのカーテンレールと接する内面に摩擦抵抗を増加させる処理を施すことを特徴としてなる請求項１記載のタブタイプカーテン装置。
【請求項３】
各昇降コードの他端部を共通のつまみに集束することを特徴としてなる請求項１又は２に記載のタブタイプカーテン装置。
【請求項４】
昇降コード用ガイドは、タブトップ又はタブクリップに縫着可能なケースと、前記ケースに回転自在に軸支されるローラーとからなることを特徴としてなる請求項１ないし３のいずれか一つに記載のタブタイプカーテン装置。
【請求項５】
昇降コード用ストッパーは、タブトップ又はタブクリップ若しくは房掛けに縫着可能なケースからなることを特徴としてなる請求項１ないし４のいずれか一つに記載のタブタイプカーテン装置。
【発明の詳細な説明】
【技術分野】
【０００１】
本発明は、装飾カーテンレールにタブトップ又はタブクリップを介してカーテンを吊り下げるタブタイプカーテン装置に関する。
【背景技術】
【０００２】
タブタイプカーテン装置は、装飾カーテンレールと組合せると、窓の装飾性を高める。しかし、従来のタブタイプカーテン装置は、カーテンを上下に開閉させることができないため、窓が持つ採光、通風、眺望等の機能を低下させる。特に、横幅が小さく上下に長い窓に、従来のタブタイプカーテン装置を設置すると、窓の機能性は著しく低下するという問題が生じる。
【特許文献１】登録実用新案公報第３０９１３６４号
【特許文献２】登録実用新案公報第３０９１３６５号
【発明の開示】
【発明が解決しようとする課題】
【０００３】
本発明は、上記問題を解決するためになされたものであり、その課題は、横幅が小さく上下に長い窓に設置しても、窓が持つ採光、通風、眺望等の機能を低下させないタブタイプカーテン装置を提供することにある。
【課題を解決するための手段】
【０００４】
前記課題を解決するため、本発明が採用する手段は、装飾カーテンレールにタブトップ又はタブクリップを介してカーテンを吊り下げるタブタイプカーテン装置において、複数のタブトップ又はタブクリップに昇降コード用ガイドを装着し、その昇降コード用ガイドを介して複数の昇降コードを摺動自在に支持し、各昇降コードの一端部を昇降コード用ガイドから垂下してカーテンの下縁部に係止し、左端又は右端のタブトップ又はタブクリップ若しくは房掛けに昇降コード用ストッパーを装着し、各昇降コードの他端部を昇降コード用ストッパーに通して操作可能に垂下することにある。
【発明の効果】
【０００５】
本発明のタブタイプカーテン装置は、昇降コードの操作によりカーテンを上下に開閉することができるから、窓の装飾性を高めることができる上に、窓が持つ採光、通風、眺望等の機能も発揮させることができるという優れた効果を奏する。
【発明を実施するための最良の形態】
【０００６】
タブタイプカーテン装置のカーテンレールは、窓面の装飾性を高める装飾カーテンレールとし、タブトップ又はタブクリップは、カーテンとなじむ繊維製品とし、カーテンレールと接する内面に摩擦抵抗を増加させる処理を施して滑りにくくすることが好ましい。
【０００７】
複数のタブトップ又はタブクリップに装着する昇降コード用ガイドは、タブトップ又はタブクリップに縫着可能なケースと、そのケースに回転自在に軸支するローラーから形成することが好ましい。カーテンにリングガイドを縫着し、昇降コード用ガイドから垂下してカーテンの下縁部に至る昇降コードの一端部を案内することが好ましい。
【０００８】
昇降コード用ストッパーは、昇降コードの牽引操作により昇降コードをロックすることも解放することできる公知のものとするが、そのケースはタブトップ又はタブクリップ若しくは房掛けに縫着可能とすることが好ましい。昇降コード用ストッパーから引き出した各昇降コードの他端部をまとめて共通のつまみに結び付け、カーテンの上下開閉操作を容易にすることが好ましい。
【実施例】
【０００９】
本発明を図面に示す実施例に基づいて説明する。
図１は、本発明実施例のタブタイプカーテン装置の要部を示す背面図、図２は、図１の昇降コード用ガイドを装着したタブトップを示す側面図、図３は、図１の昇降コード用ストッパーを設けたタブトップを示す側面図、図４は、図１のタブタイプカーテン装置の上下開閉を示す正面図である。
【００１０】
図１に示すように、タブタイプカーテン装置は、装飾カーテンレール１と、そのカーテンレールを前後に跨ぐように掛かる長い平板状のタブトップ２と、そのタブトップに上縁部を挟持されるカーテン３とからなる。タブトップ２は繊維製品であり、装飾カーテンレール１の周面と接触する内面には、摩擦抵抗を増加させるための粗面処理が施されている。
【００１１】
カーテン３の背面には複数の昇降コード４を配置する。図１及び図２に示すように、複数のタブトップ２の背面に昇降コード４を摺動自在に支持する昇降コード用ガイド５を設ける。昇降コード用ガイド５は、タブトップ２の背面に縫着するケース６とそのケースに回転自在に軸支するローラー７とからなる。そのローラーを回る昇降コード４はカーテン３の背面に縫着されたリングガイド８を通り垂下する。昇降コード４の一方の端部に取り付けたフック９はカーテン下縁部の係止具１０に掛止めする。
【００１２】
図１及び図３に示すように、左端のタブトップ２の背面に昇降コード用ストッパー１１を設ける。各昇降コード４の他端部を昇降コード用ストッパー１１に通して垂下し、その他端部を１本にまとめて操作用のつまみ１２を取り付ける。昇降コード用ストッパー１１のケースはタブトップ２の背面に縫着可能に形成するが、内部の機構は公知であり、つまみ１２を垂直に引くと昇降コードが摺動してカーテンが引き上げられ、そのまま放すと昇降コードがロックされてカーテンが停止し、斜めに引いてはなすとカーテンが自重で降下する方式とすることも、つまみを一度引くと昇降コードはロックが外れて摺動自在となり、二度引くと昇降コードがロックされる方式とすることも可能である。
【００１３】
つまみ１２を操作して昇降コード４のロックを解放すると共につまみ１２を引き下げると、図４の実線で示すように、昇降コード４の一方の端部がカーテン３の下縁部と共に引き上げられ、カーテン３はたくし上げられて開く。ここで、つまみ１２を操作して昇降コード４をロックしてカーテンのたくし上げ状態を維持すると、窓は採光、通風、眺望等の機能を発揮する。つまみ１２を操作して昇降コード４のロックを解放すると、鎖線で示すように、カーテン３は自重で閉じ、つまみ１２は元に戻る。
【００１４】
実施例として、装飾カーテンレールに直接吊す方式のタブトップを備えるタブタイプカーテン装置を示したが、説明するまでもなく、本発明は、装飾カーテンレールにカーテンランナーを介して吊す方式のタブクリップにもそのまま適用することができる。また、実施例は、昇降コード用ストッパーをタブトップに設けたが、昇降コード用ストッパーを、壁面等に取り付ける房掛けの背面に設けてカーテン両側端部が開閉するようにすることも可能である。
【図面の簡単な説明】
【００１５】
【図１】本発明実施例のタブタイプカーテン装置の要部を示す背面図、
【図２】図１の昇降コード用ガイドを装着したタブトップを示す側面図、
【図３】図１の昇降コード用ストッパーを設けたタブトップを示す側面図、
【図４】図１のタブタイプカーテン装置の上下開閉を示す正面図。
【符号の説明】
【００１６】
１：装飾カーテンレール
２：タブトップ
３：カーテン
４：昇降コード
５：昇降コード用ガイド
６：ケース
７：ローラー
８：リングガイド
９：フック
１０：係止具
１１：昇降コード用ストッパー
１２：つまみ
【図１】
2005137637.tif 000003
【図２】
2005137637.tif 000004
【図３】
2005137637.tif 000005
【図４】
2005137637.tif 000006